(57)【要約】【課題】省スペースでバッテリパックを容易かつ確実に器具本体に固定できる照明器具を提供する。【解決手段】照明器具は、器具本体15と、光源モジュールと、点灯回路と、バッテリパック17と、閂部91，91とを備える。器具本体15は、一端側が開口している。光源モジュールは、ＬＥＤを有し、器具本体15内に配置されて器具本体15の一端側から光を出射する。点灯回路は、ＬＥＤを点灯させる。バッテリパック17は、ＬＥＤの非常点灯用の電力を供給するとともに、器具本体15に対して器具本体15の一端側から収納される。閂部91，91は、バッテリパック17に光源モジュールからの光の照射方向と交差する方向に沿って移動するように設けられ、この移動により、器具本体15に収納されたバッテリパック17を器具本体15に対して係脱する。【選択図】図１
2015222636.tif 000002
【特許請求の範囲】
【請求項１】
一端側が開口した器具本体と；
発光素子を有し、前記器具本体内に配置されてこの器具本体の一端側から光を出射する光源モジュールと；
前記発光素子を点灯させる点灯回路と；
前記発光素子の非常点灯用の電力を供給するとともに、前記器具本体に対してこの器具本体の一端側から収納されるバッテリパックと；
このバッテリパックに前記光源モジュールからの光の照射方向と交差する方向に沿って移動するように設けられ、この移動により、前記器具本体に収納された前記バッテリパックを前記器具本体に対して係脱する係止部と；
を具備していることを特徴とする照明装置。
【請求項２】
器具本体の一端側の外側部に一端部が取り付けられた板ばね状のばね本体、および、このばね本体の他端部に屈曲された引掛部を備え、前記器具本体の一端側に付勢力を作用させることで前記器具本体を取付部に保持する板状の取付けばねを具備し、
前記器具本体は、他端側の外側部に凹部を有して設けられ、前記取付けばねをこの器具本体の外側部に沿わせた状態で前記ばね本体の他端側が前記器具本体の中心部へ屈曲することを許容する逃げ部を備えている
ことを特徴とする請求項１記載の照明装置。
【発明の詳細な説明】
【技術分野】
【０００１】
本発明の実施形態は、器具本体に対して着脱可能なバッテリパックを備えた照明装置に関する。
【背景技術】
【０００２】
従来、通常時に光源を商用交流電源などの外部電源で点灯させ、外部電源の停電時などの非常時にバッテリの電源により光源を点灯させるようにした非常灯対応の照明装置がある。このような照明装置の光源として、近年ＬＥＤが用いられてきている。
【先行技術文献】
【特許文献】
【０００３】
【特許文献１】特開２０１２−７９４９９号公報
【発明の概要】
【発明が解決しようとする課題】
【０００４】
このような照明装置では、小型化などにより、バッテリパックを器具本体に対して固定する際のスペースに制約が生じる。
【０００５】
本発明が解決しようとする課題は、省スペースでバッテリパックを容易かつ確実に器具本体に固定できる照明装置を提供することである。
【課題を解決するための手段】
【０００６】
実施形態の照明装置は、器具本体と、光源モジュールと、点灯回路と、バッテリパックと、係止部とを備える。器具本体は、一端側が開口している。光源モジュールは、発光素子を有し、器具本体内に配置されてこの器具本体の一端側から光を出射する。点灯回路は、発光素子を点灯させる。バッテリパックは、発光素子の非常点灯用の電力を供給するとともに、器具本体に対してこの器具本体の一端側から収納される。係止部は、バッテリパックに光源モジュールからの光の照射方向と交差する方向に沿って移動するように設けられ、この移動により、器具本体に収納されたバッテリパックを器具本体に対して係脱する。
【発明の効果】
【０００７】
本発明によれば、バッテリパックに設けた係止部を光源モジュールからの光の照射方向と交差する方向に沿って移動させることで、器具本体に収納されたバッテリパックを器具本体に対して係脱するので、省スペースでバッテリパックを容易かつ確実に器具本体に固定することが期待できる。
【図面の簡単な説明】
【０００８】
【図１】一実施形態の照明装置のバッテリパックの器具本体への取り付けを示す平面図である。
【図２】同上バッテリパックの器具本体内に対する挿脱を示す斜視図である。
【図３】同上バッテリパックを示す分解斜視図である。
【図４】同上バッテリパックを上方から示す斜視図である。
【図５】同上バッテリパックおよび係止部を下方から示す斜視図である。
【図６】同上バッテリパックの係止部のホルダを示す斜視図である。
【図７】同上照明装置の光源モジュールを上方から示す斜視図である。
【図８】同上光源モジュールを下方から示す斜視図である。
【図９】同上器具本体へ取り付けられた光源モジュールを下方から示す平面図である。
【図１０】同上照明装置の点灯ユニットを示す分解斜視図である。
【図１１】同上点灯ユニットを上方から示す斜視図である。
【図１２】同上点灯ユニットを下方から示す斜視図である。
【図１３】同上照明装置の一部を下方の一側から示す斜視図である。
【図１４】同上照明装置の一部を下方の他側から示す斜視図である。
【図１５】同上照明装置の取付部への取り付けを示す側面図である。
【図１６】同上照明装置を上方から示す斜視図である。
【図１７】同上照明装置を示す分解斜視図である。
【図１８】同上照明装置を下方から示す斜視図である。
【発明を実施するための形態】
【０００９】
以下、一実施形態の構成を図１ないし図１８を参照して説明する。
【００１０】
図１５ないし図１８において、11は照明装置としての照明器具であり、この照明器具11は、例えば天井面などに開口された取付部である埋込孔12に埋設される非常灯として用いられるものである。そして、この照明器具11は、一端側である下端側が開口した略円筒状の器具本体15を備えており、この器具本体15には、光源モジュール16、非常点灯用のバッテリパック17、および、光源モジュール16の点灯用の点灯ユニット18がそれぞれ着脱可能に内部に収容されているとともに、商用交流電源などの外部電源と電気的に接続される端子台19が上端に取り付けられている。
【００１１】
また、器具本体15は、有蓋円筒状の本体部21と、この本体部21の下端部に取り付けられた円形状(円環状)の化粧枠22とを備えている。さらに、この器具本体15の両側には、器具本体15を埋込孔に保持するための細長い板状の金属製の板ばねである一対の取付けばね23，23が化粧枠22に取り付けられている。そして、この器具本体15内には、上側から下側へと、点灯ユニット18、バッテリパック17、および、光源モジュール16の順に並ぶように収容されている。
【００１２】
本体部21は、円筒状の外側面部24と、この外側面部24の他端側である上端側を閉塞する閉塞部25とを一体的に備えている。
【００１３】
外側面部24には、取付けばね23，23を突出させる取付けばね用開口27，27と、化粧枠22を係止するための対をなす(二対の)化粧枠用係止孔28，28と、バッテリパック17を係止するための一対のバッテリ用係止孔29，29と、点灯ユニット18を係止するための一対のユニット用係止孔30(一方のみ図示)とがそれぞれ形成されている。
【００１４】
取付けばね用開口27，27は、本体部21(器具本体15)の下端部の位置にて、径方向に互いに反対側の位置に開口されている。すなわち、これら取付けばね用開口27，27により、取付けばね23，23が器具本体15の径方向に互いに反対側の位置(器具本体15の中心軸に対して互いに反対側の位置)に位置して、この径方向に沿って外方へと延出している。したがって、これら取付けばね用開口27，27から器具本体15の側方に突出する取付けばね23，23は、器具本体15の直径(径方向)に沿って下方に向けて付勢力(保持力)を作用させるようになっている。すなわち、これら取付けばね23，23による付勢力の作用線Ｌは、器具本体15の軸方向と直交する直径方向(径方向)となっている。
【００１５】
化粧枠用係止孔28，28は、取付けばね用開口27，27の両側にそれぞれ開口されている。
【００１６】
バッテリ用係止孔29，29は、本体部21(器具本体15)の下端部近傍の位置にて、取付けばね23，23の付勢力の作用線Ｌの両側に互いに略対称に配置されている。すなわち、これらバッテリ用係止孔29，29は、取付けばね23，23の作用線Ｌと交差(直交)する方向に沿って開口されている。
【００１７】
ユニット用係止孔30は、各取付けばね用開口27の上方に位置して本体部21(器具本体15)に開口されている。
【００１８】
閉塞部25には、取付けばね23，23の逃げとなる逃げ部32，32が外側部に凹部を有して設けられているとともに、端子台19を固定するための天板33が取り付けられている。また、この閉塞部25の上部には、端子台19と点灯ユニット18とを電気的に接続する図示しない配線を導入する配線導入孔34が開口されている。
【００１９】
逃げ部32，32は、照明器具11を埋込孔12に取り付ける際に、取付けばね23，23の先端側を器具本体15の径方向の中心側、すなわち内側へと屈曲可能とするものである。これら逃げ部32，32は、閉塞部25の外側部を外側面部24の外周面よりも中心軸側に窪ませて形成されており、取付けばね用開口27，27の上方に位置している。すなわち、これら逃げ部32，32は、器具本体15の中心軸に対して互いに略対称な位置に配置されている。また、これら逃げ部32，32は、作用線Ｌと交差(直交)する方向に沿って長手状に形成されており、取付けばね23，23よりも幅寸法が大きく設定されている。
【００２０】
天板33は、例えば鋼板などの１枚の金属板を屈曲させて形成されており、端子台19が一主面に固定される四角形板状の天板本体33aと、この天板本体33aの一の長辺からこの天板本体33aの他主面側へと屈曲された天板取付部33bと、天板本体33aの他の長辺からこの天板本体33aの一主面側へと屈曲された上部覆い部33cと、天板本体33aの一の短辺からこの天板本体33aの一主面側へと屈曲された側部覆い部33dとを一体に備えている。そして、天板取付部33bが器具本体15(本体部21)の閉塞部25の上部に固定され、端子台19が作用線Ｌ上に位置し、上部覆い部33cが端子台19の上方を覆うとともに、端子台19の器具本体15の外郭側および側部覆い部33dが配線導入孔34に導入される配線の側部を覆うようになっている。なお、以下、作用線Ｌ上とは、上方または下方から見た平面視で作用線Ｌと少なくとも一部が重なる位置をいうものとする。
【００２１】
配線導入孔34は、閉塞部25の外縁部近傍に位置しており、この閉塞部25(器具本体15)の径方向外側の位置が側部覆い部33dにより覆われている。
【００２２】
化粧枠22は、円環状に形成された板状の化粧枠本体35と、この化粧枠本体35の厚み方向にて上方に突出して取付けばね23，23を保持するばね保持部36，36とを一体に備えている。
【００２３】
化粧枠本体35は、天井面に対して下方から当接する部分であり、本体部21よりも外径寸法が大きく形成されて本体部21の下端部に対してフランジ状に突出している。この化粧枠本体35には、光源モジュール16が嵌合する取付開口38が中央部に開口されている。したがって、この取付開口38は、光源モジュール16からの光が下方に出射する出射開口となっている。この取付開口38の内縁部は、図１などに示すように、取付けばね23の作用線Ｌと交差(直交)する方向に沿って直線状に延びる直線部38a，38aと、作用線Ｌの両側に略線対称に位置する円弧状に湾曲した湾曲部38b，38bとにより構成されている。また、この化粧枠本体35には、化粧枠本体凹部39が周方向に複数(一対)設けられている。これら化粧枠本体凹部39には、本体部21の下端部の縁部から周方向において互いに離れるように折り曲げられたフランジ部21aがそれぞれ配置されている。すなわち、これらフランジ部21aは、化粧枠本体35の厚み方向において、突出することがないように化粧枠本体凹部39に設けられる。したがって、照明器具11が天井面に設置された際に、フランジ部21aではなく、化粧枠本体35が天井面に対して下方から当接するように、フランジ部21aが化粧枠本体凹部39に収容されている。フランジ部21aが化粧枠本体凹部39に収容されるように設けられることで、本体部21が化粧枠本体35から外れることがなく、器具本体15を安定して天井面に保持することができる。また、フランジ部21aにより化粧枠本体35と天井面との間に隙間が生じることを防ぐことができる。
【００２４】
ばね保持部36，36は、図１３ないし図１７に示すように、本体部21に内挿されて取付けばね用開口27，27から露出する部分である。これらばね保持部36，36は、作用線Ｌ上に位置し、この作用線Ｌを中心線とする略対称な形状となっている。また、これらばね保持部36，36の外面には、化粧枠用係止孔28，28に係止される一対の係止爪部41，41が取付けばね23，23を挟んで作用線Ｌの両側に略線対称にそれぞれ突設されている。化粧枠用係止孔28，28に係止されるこれら一対の係止爪部41，41が取付けばね23，23を挟んで作用線Ｌの両側に設けられていることにより、本体部21は天井面に取り付けられた際に安定して形状を保持できる。さらに、ばね保持部36，36のそれぞれの内面、すなわち器具本体15の内方である取付けばね23，23の背面側の位置には、光源モジュール16を係止するための一対の係止凹部42，42が取付開口38の各直線部38a，38aの位置にてこの取付開口38内に臨んで作用線Ｌの両側にそれぞれ凹設されている。また、一方のばね保持部36の内面には、光源モジュール16の着脱操作用の操作凹部43が作用線Ｌ上に位置し、取付開口38の一方の直線部38aに連続して凹部を有して設けられている。さらに、他方のばね保持部36の内面には、光源モジュール16を係止するための係止凸部44が係止凹部42，42間にて作用線Ｌ上かつ取付開口38の他方の直線部38aの上方に位置して突設されている(図１４および図１５)。
【００２５】
取付けばね23，23は、図２、図１３ないし図１５などに示すように、一端側が器具本体15の一端側である下端側の外側部の取付けばね用開口27，27に取り付けられた長尺板ばね状のばね本体23a，23aと、これらばね本体23a，23aの先端部に屈曲された引掛部23b，23bとを備え、器具本体15の側方に突出されている。また、ばね本体23a，23aの両端間には、照明器具11を埋込孔12に取り付ける際に器具本体15(本体部21(外側面部24))の外周面に沿わせた状態での点灯ユニット18との干渉を防止するための屈曲部23c，23cが形成されている。
【００２６】
図７ないし図９などに示す光源モジュール16は、化粧枠22の取付開口38と嵌合して器具本体15の下端部から下方へと光を出射するものであり、光源基板46と、この光源基板46を覆うモジュールケース47とを備えている。そして、この光源モジュール16(モジュールケース47)の上部は、バッテリパック17および点灯ユニット18の下部に対向して隣接している。
【００２７】
光源基板46は、平板状に形成され、一主面である下面に、複数、例えば４つの発光素子(半導体発光素子)であるＬＥＤ49が中央部に実装されているとともに、これらＬＥＤ49の周囲に、保守点検用の機能性部品であるスイッチ50、保守点検用の機能性部品である点検用の複数のモニタランプ51、および、保守点検用の機能性部品であるリモコン送受信(通信)用の通信デバイス52，53がそれぞれ実装されている。なお、通信デバイス52，53の一方は受信用の通信デバイスであり、他方は送信用の通信デバイスである。また、この光源基板46は、他主面である上面に、コネクタ部としての接続部品であるコネクタ受け部54が実装されている。
【００２８】
ＬＥＤ49は、光源基板46の下面にて中央部に配置されており、それぞれレンズなどの配光制御部材であるドーム状の制光体56により覆われている。そして、この制光体56により、ＬＥＤ49からの光が、所定の規格により規定された配光特性となるように拡散されている。
【００２９】
スイッチ50、モニタランプ51および通信デバイス52，53は、光源基板46の下面にてＬＥＤ49の周囲に配置されている。本実施形態では、スイッチ50およびモニタランプ51が作用線Ｌの一側に配置され、通信デバイス52，53が作用線Ｌの他側に配置されている。
【００３０】
そして、スイッチ50は、外部操作によってＬＥＤ49の状態、バッテリパック17の充電状態などを点検する図示しない点検回路を動作させる点検モードの始動用のものである。
【００３１】
モニタランプ51は、スイッチ50の操作により点検回路が動作したときに、この点検回路による点検結果を表示(報知)するものである。
【００３２】
通信デバイス52，53は、例えば赤外線受信手段および赤外線送信手段であり、外部のリモコンからの遠隔操作によって上記点検回路を動作させる点検モードを選択可能となっている。
【００３３】
コネクタ受け部54は、点灯ユニット18側と電気的に接続された図示しないリード線を纏めたコネクタを着脱可能に受けることで点灯ユニット18と光源基板46(ＬＥＤ49)とを電気的に接続するものであり、作用線Ｌと交差(直交)する方向に沿って長手状に配置され、この作用線Ｌを中心線とする略対称な形状となっている。このコネクタ受け部54には、接続されたコネクタを取り外す際に操作するための取外しレバー54aが設けられている。また、このコネクタ受け部54は、光源モジュール16を器具本体15に取り付けた状態で、他方のばね保持部36にて係止凹部42，42と係止凸部44との間にそれぞれ突設されたリード線規制部57，57(図１４)間に位置するようになっている。
【００３４】
モジュールケース47は、例えばアルミダイカストなどにより上下方向の厚みが薄い扁平に形成されており、取付開口38の内縁に嵌合可能となっている。すなわち、このモジュールケース47は、取付開口38の直線部38a，38aに対向する一の側面部であるケース直線部47a，47aと、取付開口38の湾曲部38b，38bに対向する他の側面部であるケース湾曲部47b，47bとを備えている。なお、このモジュールケース47は、例えば絶縁性を有する合成樹脂などにより形成されてもよい。また、このモジュールケース47の一方のケース直線部47aには、着脱機構としてのモジュール係止体58が操作可能に取り付けられる着脱機構取付部としての係止体取付部59が凹部を有して設けられている。さらに、このモジュールケース47の他方のケース直線部47aには、化粧枠22の他方のばね保持部36の係止凹部42，42(図１４)に挿入係止される挿入爪部61，61が作用線Ｌの両側に突設されているとともに、これら挿入爪部61，61間に、係止凸部44(図１４)が挿入係止される凹部62が凹部を有して設けられている。さらに、このモジュールケース47には、取付開口38から下方に臨む下部に、ＬＥＤ49および制光体56が露出する大径の円形状の開口63が中央部に開口されているとともに、この開口63の周囲に沿って、スイッチ50、各モニタランプ51および通信デバイス52，53が露出する小径の円形状の複数の開口64がそれぞれ開口されている。また、このモジュールケース47のバッテリパック17に対向する上部には、コネクタ受け部54が露出する長方形状のコネクタ開口部66が開口されている。さらに、このモジュールケース47の上部の係止体取付部59と連続する部分は、光源モジュール16を器具本体15に対して取り付ける際の取付開口38の内縁部(一方の直線部38a)との干渉を避けるための傾斜部67となっている。なお、このモジュールケース47が、例えば上下方向の厚みが薄い扁平状の２つの部材から形成されている場合には、ケース直線部47a，47aおよびケース湾曲部47b，47bにおいて、モジュールケース47の２つの部材の接合部は、光源基板46の厚さ方向(断面方向)の途中に位置している。すなわち、これらの部材の接合部は、光源基板46の断面と対向している。このようにモジュールケース47および光源基板46を配置することで、接合部からの光漏れを防ぐことができる。
【００３５】
モジュール係止体58は、例えば金属板などにより形成され、作用線Ｌと交差(直交)する方向に沿って長手状に配置されて、この作用線Ｌを中心線とする略対称な形状となっている。このモジュール係止体58は、係止体取付部59から露出する操作部58aを備えているとともに、化粧枠22の一方のばね保持部36の係止凹部42，42(図１３)に挿入係止可能な爪部58b，58bを作用線Ｌの両側にそれぞれ備えている。そして、このモジュール係止体58は、操作部58aを係止体取付部59内で往復操作(スライド操作)することで、爪部58b，58bがモジュールケース47の外郭から進退するようになっている。また、このモジュール係止体58は、光源モジュール16において、コネクタ受け部54と反対側の側部に位置している。
【００３６】
傾斜部67は、上方に向けて係止体取付部59から離間する方向へと傾斜している。
【００３７】
図１ないし図６などに示すバッテリパック17は、非使用時には端子台19(図１６)を介して外部電源から供給される電力によって充電されるとともに、非常時(少なくとも外部電源の電力供給停止時)には非常点灯用の電力を供給するもので、器具本体15内に収容される部材中で最も重量が大きい重量物である。このバッテリパック17は、バッテリケース71と、このバッテリケース71に収容された複数の二次電池である円柱状のバッテリ72と、このバッテリケース71に収容されたコネクタ73とを備えているとともに、このバッテリパック17を器具本体15に対して係止するためのロックユニット74が取り付けられている。そして、このバッテリパック17は、器具本体15に対して一端側である下端側の取付開口38から上下方向、すなわち器具本体15の軸方向(光源モジュール16の光軸方向)に沿って挿脱可能となっている。
【００３８】
バッテリケース71は、例えば絶縁性を有する合成樹脂などにより形成されており、一のケースである上ケース76と、他のケースである板状の下ケース77とを備えている。
【００３９】
上ケース76は、下ケース77と対向する下端が開口して形成されている。この上ケース76には、各バッテリ72が内部に位置する(一方および他方の)収容部81，82と、これら一対の収容部81，82間を接続する収容部接続部83と、コネクタ73が露出するコネクタ配置部84と、ロックユニット74を固定するユニット受け部85，85とが一体的に設けられている。
【００４０】
収容部81は、例えばバッテリ72を複数、例えば２つ内部に上下方向に沿って収容可能となっている。また、この収容部81の両側には、バッテリパック17を器具本体15に対して取付開口38から挿脱する際のガイドとなる(一方の)ガイド部81a，81aが上下方向に沿ってリブ状に突設されている。一方、収容部82は、例えばバッテリ72を１つ内部に上下方向に沿って収容可能となっている。また、この収容部82の側部には、バッテリパック17を器具本体15に対して取付開口38から挿脱する際のガイドとなる(他方の)ガイド部82aが上下方向に沿ってリブ状に突設されている。
【００４１】
さらに、これら収容部81，82は、互いに離間されている。そして、これら収容部81，82は、バッテリパック17を器具本体15に収容した状態で、この器具本体15(本体部21)の内周に沿う位置に、作用線Ｌの両側に(作用線Ｌを挟んで)配置される。すなわち、これら収容部81，82は、器具本体15(本体部21)の軸方向に対して略平行に上下方向に長手状に配置され、外側面が器具本体15(本体部21)の内周に近接対向している。
【００４２】
収容部接続部83は、収容部81，82間を下部で接続しており、光源モジュール16のモジュールケース47(図７)の上面に沿って配置されている。
【００４３】
コネクタ配置部84は、上下方向に沿って軸方向を有する角筒状に形成されており、収容部82の側方に連続して設けられている。すなわち、このコネクタ配置部84は、収容部81に収容される２本のバッテリ72のうちの１本と作用線Ｌを挟んで配置されている。
【００４４】
各ユニット受け部85は、収容部81，82の外側部に上下方向に沿ってそれぞれ配置されており、作用線Ｌの両側に略対称に配置されている。また、各ユニット受け部85には、ロックユニット74をバッテリケース71に係止するための段差部85a(一方のみ図示)が形成されている。
【００４５】
下ケース77は、上ケース76の下端を閉塞するものである。すなわち、この下ケース77は、上ケース76の収容部81，82および収容部接続部83の下部に重ねられて配置されている。また、この下ケース77には、収容部接続部83の収容部81，82間の位置の下部に、バッテリパック17を取り付けおよび取り外し(器具本体15に収納)する際に両側から摘むための円弧状の摘み87，87が突設されている。これら摘み87，87は、作用線Ｌと重なる位置にそれぞれ配置されており、この作用線Ｌに対してそれぞれ交差する方向に延びている。また、これら摘み87，87は、作用線Ｌと交差する位置が内方へと最も窪むように湾曲している。
【００４６】
バッテリ72は、例えばニカド電池、ニッケル水素電池、あるいはリチウムイオン電池などの充電可能な電池であり、接続板89を介して互いに電気的に直列に接続されている。
【００４７】
コネクタ73は、バッテリパック17を器具本体15に取り付けた状態で点灯ユニット18と電気的に接続されるものであり、接続板89を介して、直列に接続されたバッテリ72の正極および負極と電気的に接続されている。
【００４８】
ロックユニット74は、一対の係止部としての可動片である閂部91，91と、これら閂部91，91をバッテリケース71(下ケース77)に保持するためのホルダ92とを備えている。
【００４９】
各閂部91は、例えば鋼板などの金属板により板状に形成されており、係止部本体としての四角形板状の閂部本体91aと、この閂部本体91aの長手方向の一端部に屈曲された被操作部91bと、この閂部本体91aの長手方向の他端部に突出する係止爪部91cと、この閂部本体91aに厚み方向に貫通して設けられた(一方および他方の)係止孔91d，91eとを備えている。また、これら閂部91，91は、バッテリパック17の収容部81，82(ユニット受け部85，85)の下方にて下ケース77の下面に重ねられて配置されており、作用線Ｌに対して互いに略対称となっている。そして、各閂部91は、バッテリパック17のバッテリケース71の下ケース77の下面にリブ状に突設されたガイドリブ部94，94によりガイドされることで、バッテリパック17(バッテリケース71)に対して作用線Ｌと交差(直交)する方向で、かつ、光源モジュール16の光の照射方向と交差(直交)する方向である水平方向に沿って往復移動(スライド)可能、すなわち作用線Ｌに対して接近する方向とその反対方向とに移動可能となっており、この往復移動によってバッテリパック17から進退するようになっている。
【００５０】
被操作部91bは、閂部本体91aから下方に向けて屈曲されており、各閂部91を操作する際の摘み部となる部分である。
【００５１】
係止爪部91cは、各閂部91をバッテリパック17に対して進出(突出)させる方向に移動させた状態で各バッテリ用係止孔29にそれぞれ挿入係止されるものである。
【００５２】
係止孔91d，91eは、閂部本体91aの長手方向に互いに離間されて配置されている。これら係止孔91d，91eは、閂部91の往復移動範囲の両端部の位置を決めるものである。
【００５３】
ホルダ92は、各閂部91をバッテリケース71の下ケース77との間に挟み込むもので、例えば絶縁性の合成樹脂などにより形成されており、作用線Ｌに対して交差(直交)する方向に延びる長尺状のホルダ本体92aと、このホルダ本体92aの長手方向の両端部から上方へと突設されたホルダ係止部92b，92bとを備えている。また、ホルダ本体92aの両端部近傍には、各閂部91の被操作部91bを下方へと露出させる露出開口部92c，92cが開口されている。さらに、このホルダ本体92aの露出開口部92c，92cとホルダ係止部92b，92bとの間には、切欠開口部92d，92dが開口されている。そして、このホルダ本体92aの両端部であるホルダ係止部92b，92bの下端部には、閂部91，91の係止爪部91c，91cが進退する進退開口部92e，92eが切り欠き形成されている。
【００５４】
また、各ホルダ係止部92bは、バッテリケース71の各ユニット受け部85に嵌合される部分であり、これらホルダ係止部92bの先端部である上端部には、ユニット受け部85の段差部85aに係止される段差部係止爪部92fがそれぞれ突設されている。
【００５５】
各露出開口部92cは、各閂部91の被操作部91bを露出させて操作可能とするものである。各露出開口部92cには、被操作部91bの操作者の指との干渉を避けて被操作部91bを操作しやすくするための半円弧状の逃げ凹部92g，92gがそれぞれ隣接して形成されている。
【００５６】
各切欠開口部92dには、舌片状の係止片部92hがそれぞれホルダ本体92aの長手方向、すなわち閂部91の往復移動方向に沿って自由端状に突設されている。これら係止片部92hの先端側の閂部91に対向する上部には、閂部91の係止孔91d，91eのいずれか一方に選択的に挿入係止される挿入部92iがそれぞれ突設されている。これら挿入部92iは、係止孔91d，91eに挿入される際に操作感を生じさせるとともに、閂部91を容易に動かないように係止するものである。
【００５７】
また、図１、図２、図１０ないし図１２に示す点灯ユニット18は、ユニットケース96と、このユニットケース96に収容された基板部97と、このユニットケース96に取り付けられたバッテリ接続部である接続コネクタ98とを備えている。そして、この点灯ユニット18は、器具本体15に対して一端側である下端側の取付開口38から器具本体15の軸方向(光源モジュール16(図７)の光軸方向)に沿って挿入されている。
【００５８】
ユニットケース96は、例えば絶縁性を有する合成樹脂などにより形成されており、一のユニットケースである上部ユニットケース101と、他のユニットケースである下部ユニットケース102とを備えている。そして、このユニットケース96は、両端部が拡開しこれら両端部間の中央部が括れたアレイ状に形成され、器具本体15内にて作用線Ｌ上に位置する内周面間に亘って連続するように収容される。すなわち、ユニットケース96(点灯ユニット18)は、器具本体15の中心軸に対して互いに反対側に位置する内周面間に亘って連続し、器具本体15(本体部21)の内周面との間に、バッテリパック17(バッテリケース71)の収容部81，82がそれぞれ挿入嵌合される挿入空間部103，104が区画されている。
【００５９】
上部ユニットケース101は、長手方向の両端部、すなわち作用線Ｌと交差する両端部の位置に、器具本体15(本体部21)の各ユニット用係止孔30(図１３および図１４)に挿入係止される係止片部106が下端側の位置にて作用線Ｌに沿って爪状に突設されている。また、この上部ユニットケース101の両端部の上部には、逃げ部32，32(図１３および図１４)に対応する位置に、これら逃げ部32，32との干渉を避けるための凹部107，107が形成されている。さらに、この上部ユニットケース101の上面には、閉塞部25の下面に対向する位置に、配線導入孔34(図１６)と連通する導入孔108が開口されているとともに、この導入孔108に隣接して、接続コネクタ98を露出させかつユニットケース96の内部に連通するコネクタ露出開口109が開口されている。そして、配線導入孔34(図１６)から導入された配線が導入孔108を介してユニットケース96の内部に導入されて基板部97と電気的に接続され、この基板部97から導出された図示しない配線がコネクタ露出開口109を介して接続コネクタ98と電気的に接続されるようになっている。
【００６０】
下部ユニットケース102は、略板状に形成されており、上部ユニットケース101の下端側を覆うようになっている。この下部ユニットケース102には、長手方向の一端部の一側に、接続コネクタ98を保持する筒状のコネクタ保持部112が形成されている。また、この下部ユニットケース102の長手方向の他端部は、上方へと屈曲された屈曲部113となっており、この屈曲部113の上端部からさらに他端部側へと延びる上板部114の一側には、光源モジュール16(コネクタ受け部54)(図７および図８)と基板部97とを電気的に接続する図示しないリード線が挿通される挿通孔115が切り欠き形成されている。そして、これら屈曲部113と上板部114とにより、上部ユニットケース101との間で、上記リード線を収容するリード線収容空間部116が区画されている。このリード線収容空間部116には、リード線規制部57，57(図１４)が位置し、これらリード線を纏めるようになっている。
【００６１】
基板部97は、板状の基板121と、この基板121に実装された複数の部品122およびコネクタ部としての点灯回路側接続部品であるコネクタ受け部123とを備え、光源モジュール16のＬＥＤ49(図７および図９)を点灯させる点灯回路124が構成されている。この基板部97は、ユニットケース96の長手方向に沿って配置されており、点灯ユニット18を器具本体15(本体部21)に取り付けた状態で、基板121が上下方向に沿って面方向を有し、この器具本体15(本体部21)の径方向および作用線Ｌに対して平行で、かつ、器具本体15(本体部21)の直径および作用線Ｌの近傍(本実施形態では作用線Ｌ上から側方に僅かに離間された位置)に配置されるようになっている。換言すれば、この基板部97は、点灯ユニット18を器具本体15(本体部21)に取り付けた状態で、基板121の各主面が作用線Ｌの側方に向くように、すなわち、基板121の各主面と作用線Ｌとが平行となるようになっている。
【００６２】
図１０および図１２に示すコネクタ受け部123は、光源モジュール16のコネクタ受け部54(図８)に接続される図示しないリード線を纏めたコネクタを着脱可能に受けることで点灯ユニット18と光源基板46(ＬＥＤ49)(図７)とを電気的に接続するものであり、作用線Ｌ上の位置に、この作用線Ｌに対して交差(直交)する上下方向に沿って長手状に配置されている。このコネクタ受け部123には、接続されたコネクタを取り外す際に操作するための取外しレバー123aが設けられている。なお、このコネクタ受け部123に接続されたリード線は、挿通孔115から点灯ユニット18(ユニットケース96)の外部に導出されている。
【００６３】
点灯回路124は、例えば常時点灯回路、非常時点灯回路、および、バッテリ72(図３)の充電回路などを備えており、ＬＥＤ49(図７および図９)に対して定電流を供給可能な定電流回路などである。この点灯回路124は、コネクタ受け部123および接続コネクタ98とそれぞれ電気的に接続されている。
【００６４】
図１０ないし図１２に示す接続コネクタ98は、下端側がコネクタ保持部112の下部に露出しており、下方から挿入されたバッテリパック17のコネクタ73と電気的に接続されるようになっている。
【００６５】
図１６ないし図１８に示す端子台19は、外部電源からＬＥＤ49の点灯用の電力およびバッテリパック17のバッテリ72の充電用の電力が供給されるもので、器具本体15(照明器具11)の外部では、外部電源と電源線であるケーブル126を介して電気的に接続され、器具本体15の内部では、バッテリパック17および点灯ユニット18と電気的に接続されるものである。この端子台19は、一対の接続部127，127を備え、これら接続部127，127が上下に並んで配置されている。
【００６６】
ケーブル126は、接続部127，127に挿入保持される導線131，131と、これら導線131，131を互いに離間した状態で被覆する、例えば扁平な絶縁被覆部132とを備えている。
【００６７】
接続部127，127には、導線131，131が側方から器具本体15(本体部21)の接線方向に沿って略水平方向に挿入接続されるようになっている。したがって、ケーブル126は、絶縁被覆部132の扁平側が上下方向に沿うように配置される。
【００６８】
そして、図１ないし図１８に示すように、照明器具11を組み立てる際には、まず、基板部97をユニットケース96内に収容した点灯ユニット18を、端子台19を天板33により取り付けた本体部21に対して下端部から上方へと挿入する。このとき、ユニットケース96の係止片部106を本体部21のユニット用係止孔30に位置合わせして押し込むことで、本体部21の内周面に沿って弾性変形した係止片部106がユニット用係止孔30の位置で復帰変形し、点灯ユニット18が本体部21に固定される。
【００６９】
次いで、取付けばね23，23をそれぞればね保持部36，36に保持した化粧枠22を、本体部21の下端部に上方へと挿入して取り付ける。このとき、一対の係止爪部41，41を本体部21の化粧枠用係止孔28，28に位置合わせするとともに、取付けばね23，23を取付けばね用開口27，27に位置合わせして押し込むことで、係止爪部41，41が化粧枠用係止孔28，28に挿入され化粧枠22が本体部21に固定されて器具本体15を構成し、取付けばね23，23が器具本体15からそれぞれ側方へと延出する。
【００７０】
この状態で、バッテリパック17を取付開口38から上方へと挿入する(図２)。このとき、まず、ロックユニット74の各閂部91の被操作部91bを押し操作して各閂部91をそれぞれスライドさせて進退開口部92eへと退避させ、係止爪部91cがバッテリパック17の側方に突出しない位置、すなわちホルダ92の各係止片部92hの挿入部92iが各係止孔91dにそれぞれ嵌合した位置としておく。次いで、摘み87，87を摘んで、バッテリパック17の収容部81，82を上方として挿入空間部103，104に位置合わせするとともに、コネクタ73を点灯ユニット18のコネクタ保持部112に位置合わせしてガイド部81a，82aをユニットケース96に沿わせつつ上方に押し込むことで、収容部81，82が挿入空間部103，104に挿入され、コネクタ73がコネクタ保持部112に挿入されて接続コネクタ98と接続されて点灯ユニット18(基板部97の点灯回路124)とバッテリパック17(バッテリ72)とが電気的に接続される。この状態で、図１の想像線(二点鎖線)に示すように、バッテリパック17の下部に露出するロックユニット74の各閂部91の被操作部91bを上下方向に対して交差(直交)する水平方向で、かつ、作用線Ｌに対して交差(直交)する方向へと押し操作して各閂部91をバッテリパック17から側方へと進出(突出)させるようにスライドさせることで、各閂部91の係止爪部91cが各進退開口部92eから突出してバッテリ用係止孔29，29に挿入され、バッテリパック17が器具本体15に係止固定される。このとき、各閂部91では、係止孔91dに嵌合していたホルダ92の挿入部92iがスライドによってこの係止孔91dから外れ、係止片部92hが弾性変形した後、挿入部92iが係止孔91eの位置になると、係止片部92hが復帰変形して挿入部92iが係止孔91eに嵌合することで、操作感が生じるとともに、各閂部91が容易に動かないように係止される。この状態で、点灯ユニット18のユニットケース96内に収容された基板部97が収容部81，82間、すなわちバッテリ72，72間に位置し、これらバッテリ72，72が作用線Ｌの両側に位置する。
【００７１】
そして、挿通孔115を介してリード線収容空間部116へと導出されたリード線を纏めたコネクタを光源モジュール16のコネクタ受け部54に接続し、この光源モジュール16を取付開口38から器具本体15内に挿入する。このとき、まず、モジュール係止体58の操作部58aを押し操作してモジュール係止体58をスライドさせて退避させ、爪部58b，58bがモジュールケース47の側方に突出しない位置としておく。次いで、光源モジュール16の他方のケース直線部47a側に位置する挿入爪部61，61を取付開口38の他方の直線部38a側に位置する係止凹部42，42にそれぞれ挿入するとともに凹部62に係止凸部44を挿入し、これらを支点として光源モジュール16のモジュール係止体58側を上方へと回動させた後、光源モジュール16の下部に露出するモジュール係止体58の操作部58aを作用線Ｌに沿って押し操作する(図９の想像線(二点鎖線)ことで、モジュールケース47から進出(突出)した爪部58b，58bが係止凹部42，42に挿入されて光源モジュール16が器具本体15に固定され、照明器具11が完成する。この回動の際、光源モジュール16のモジュール係止体58側の上部は、傾斜部67により器具本体15との干渉が防止される。リード線は、リード線収容空間部116内でリード線規制部57，57間に纏められる。
【００７２】
この完成した照明器具11を天井面に取り付ける際には、各取付けばね23を器具本体15(本体部21)の側面に沿わせるように弾性変形させて保持した状態で、照明器具11を埋込孔12に下方から挿入する。このとき、各取付けばね23は、屈曲部23cの位置が点灯ユニット18のユニットケース96の各係止片部106と離間されて、これら係止片部106と接触せず、先端側は各逃げ部32の位置で器具本体15の中心側へと逃げるように湾曲されて、各引掛部23bが器具本体15の本体部21の外周(外郭)から外方へと突出しない。この状態で、器具本体15の本体部21および各取付けばね23を埋込孔12に挿入する。
【００７３】
各取付けばね23の引掛部23bが埋込孔12より上方に移動したら、各取付けばね23の保持を解除する。これにより、各取付けばね23が弾性変形に対する反発力によって器具本体15の側方に展開し、埋込孔12の上縁部に当接して照明器具11を上方へ引き上げ、化粧枠22の化粧枠本体35の上面が天井面に当接し、照明器具11の設置が完了する。この後、端子台19の接続部127，127にケーブル126の導線131，131をそれぞれ側方から器具本体15(本体部21)の接線方向に沿って挿入接続する。
【００７４】
端子台19から外部電源が供給された照明器具11は、点灯回路124が常時点灯回路を有している場合には、常時点灯回路から定電流をＬＥＤ49に供給し、ＬＥＤ49を常時点灯させるとともに、バッテリパック17のバッテリ72を必要に応じて充電する。また、停電などの非常時には、バッテリパック17のバッテリ72から電力が供給された点灯回路124の非常時点灯回路がＬＥＤ49を非常時点灯させる。すなわち、点灯回路124が常時点灯回路を有している場合には、点灯回路124の常時点灯回路が非常時点灯回路に切り換わる。
【００７５】
そして、天井面に取り付けた照明器具11のメンテナンスの際には、組み立てのときと逆順で、光源モジュール16とバッテリパック17とを器具本体15から順次取り外す。すなわち、まず、光源モジュール16のモジュール係止体58の操作部58aを、作用線Ｌに沿って押し操作することで、モジュール係止体58が退避して爪部58b，58bが係止凹部42，42から外れ、モジュール係止体58による光源モジュール16の器具本体15への係止が解除される。そこで、この光源モジュール16のモジュール係止体58側を下方へと回動させ、光源モジュール16を取付開口38に対してモジュール係止体58側に若干移動させながら下方へと引き抜くことで、挿入爪部61，61と係止凹部42，42との係止、および、凹部62と係止凸部44との係止が解除され、光源モジュール16が取付開口38から取り外される。この後、光源モジュール16の上部に露出するコネクタ受け部54の取外しレバー54aを操作することで、コネクタ受け部54に接続されたコネクタを取り外すことにより、光源モジュール16を器具本体15から取り外すこともできるし、リード線は充分に長く設けられているので、コネクタ受け部54に接続されたコネクタを取り外すことなくバッテリパック17を取り外すこともできる。次いで、取付開口38から覗くバッテリパック17の下部の各閂部91をそれぞれ作用線Ｌへと接近させるように水平方向に押し操作することで、各係止爪部91cが各進退開口部92eへと退避して各バッテリ用係止孔29から外れる。このとき、各閂部91では、係止孔91eに嵌合していたホルダ92の挿入部92iがスライドによってこの係止孔91eから外れ、係止片部92hが弾性変形した後、挿入部92iが係止孔91dの位置になると、係止片部92hが復帰変形して挿入部92iが係止孔91dに嵌合することで、操作感が生じるとともに、各閂部91が容易に動かないように係止される。そして、バッテリパック17を下方へと器具本体15の軸方向に沿って引き抜く(図２)ことで、バッテリパック17が器具本体15から取り外される。
【００７６】
なお、点灯ユニット18については、一旦器具本体15に取り付けてしまった後は、通常取り外すことはないが、取り外しが必要な場合には、化粧枠22を本体部21から取り外した後、係止片部106を器具本体15(本体部21)の外方から押し込んでユニット用係止孔30との係止を解除することで、端子台19と一体的に取り外すことが可能である。
【００７７】
以上説明した一実施形態では、バッテリパック17に設けた閂部91，91を光源モジュール16からの光の照射方向と交差する方向に沿って移動(スライド)させることで、器具本体15に挿入(収納)されたバッテリパック17を器具本体15に対して係脱する。すなわち、閂部91，91は、バッテリパック17から進出するようにスライドさせることでバッテリ用係止孔29，29に挿入されてバッテリパック17の落下方向に対して略垂直となり、いわばバッテリパック17の落下に対して閂を掛けた状態となるので、省スペースでバッテリパック17を容易かつ確実に器具本体15に固定できる。さらに、閂部91，91は、バッテリパック17側に退避するようにスライドさせることでバッテリ用係止孔29，29から引き抜かれて、バッテリパック17を器具本体15から容易に取り外すことができる。したがって、閂部91，91の簡単な構成によって、バッテリパック17を器具本体15に対して容易に着脱可能な構成を実現できる。
【００７８】
また、バッテリパック17の下部に閂部91，91が位置しているので、光源モジュール16を取り外すことによって閂部91，91が器具本体15の下方すなわち取付開口38に露出し、取り外し作業が容易になる。
【００７９】
この結果、バッテリパック17のメンテナンス性をより向上できる。特に、ＬＥＤ49は長寿命であるため、非常灯対応の照明器具11においては、光源モジュール16と比較して、バッテリパック17のメンテナンスの頻度および優先順位が相対的に上がるので、このようにバッテリパック17を容易に取り外しできるようにすることで、メンテナンスがより容易に可能となる。
【００８０】
また、バッテリパック17のバッテリ72を収容する収容部81，82を、器具本体15の内部(内周)に沿って互いに対向する位置にそれぞれ配置し、これら収容部81，82(バッテリ72)間に基板部97を配置することで、これら収容部81，82(バッテリ72)間のスペースを有効利用し、基板部97を長く取ることができるので、器具本体15内に位置する基板部97の大きさを確保できる。
【００８１】
特に、基板部97を、収容部81，82(バッテリ72)間にて器具本体15の径方向に平行に、器具本体15の直径近傍に配置することで、基板部97を器具本体15の直径と略等しい長さ分取ることができ、基板部97をより大きくすることができる。
【００８２】
したがって、基板部97に部品122を多く実装できる。
【００８３】
また、照明器具11の小型化、特に埋め込み高さの低減を図る場合、施工する埋込孔12の孔径と照明器具11の外形との隙間が少なくなる。通常用いられる取付けばね23，23には、照明器具11の落下防止と施工性の向上のための曲げ部分である引掛部23b，23bがあるので、特にこの引掛部23b，23bを埋込孔12と照明器具11の外形との隙間に通すことが困難になってくるものの、本実施形態では、取付けばね23，23を器具本体15の外側部に沿わせた状態での引掛部23b，23bを含むばね本体23a，23aの先端側の器具本体15の外郭に対する内方への屈曲を許容する逃げ部32，32を器具本体15の上端側の外側部に設けているので、この屈曲によって引掛部23b，23bを隙間に通しやすくなり、施工性を確保できる。すなわち、照明器具11を小型化しても逃げ部32，32の簡素な形状によって、通常用いられる取付けばね23，23を設計変更することなく用いながら容易に施工できる。
【００８４】
また、端子台19は、天板33により上側などが覆われているとともに、水平方向に沿ってケーブル126が挿入接続されるので、器具本体15の上面からケーブルが挿入されることがなく、端子台19が器具本体15の外方に突出しないため、端子台19とケーブル126との接続部分に埃が付着することを防ぐことができる。
【００８５】
さらに、端子台19は、接続部127，127を器具本体15の接線方向に沿って上下に並んで配置しているので、接続部127，127に接続されるケーブル126の導線131，131が上下に並ぶこととなる。したがって、扁平なケーブル126の厚み方向が側方に向くこととなり、ケーブル126が水平方向に沿ってより変形しやすい状態となるので、導線131，131が接続された端子台19に対して、ケーブル126から上下方向へとより荷重が加わりにくくなり、照明器具11をより安定的に保持できる。
【００８６】
しかも、端子台19は、作用線Ｌと重なる位置に配置されているので、天井からの照明器具11の浮き(ずれ)が発生しにくい。
【００８７】
また、光源モジュール16は、１つのモジュール係止体58によって器具本体15に対して着脱可能に係止されるので、構成が簡単であるとともに、着脱作業の際に、モジュール係止体58に力を加えることとなるものの、このモジュール係止体58が取付けばね23，23の付勢力の作用線Ｌ上に位置し、この作用線Ｌに沿う方向にスライド操作されるため、取付けばね23，23による付勢力と交差する方向に力が生じにくく、照明器具11と天井側との保持が不安定になりにくいので、光源モジュール16を器具本体15に対して容易に着脱できる。
【００８８】
具体的に、モジュール係止体58は、作用線Ｌに沿う方向にスライドされて光源モジュール16を器具本体15に対して係止するとともに、作用線Ｌに沿ってその反対方向へスライドすることで係止を解除するので、光源モジュール16の着脱作業が基本的に作用線Ｌに沿って行われることとなる。したがって、この着脱の操作時に加えられる力が取付けばね23，23の付勢力と交差しないので、これら取付けばね23，23による照明器具11の保持に影響を与えにくく、照明器具11を安定的に保持した状態での作業が可能となり、作業性がより向上する。
【００８９】
また、光源モジュール16の光源基板46の一主面に保守点検用のスイッチ50、モニタランプ51および通信デバイス52，53を実装しているので、光源モジュール16自体を点検確認ができるなど高機能化できるとともに、確認作業が機能的となる。さらに、ＬＥＤ49と同様に長寿命のこれらスイッチ50、モニタランプ51および通信デバイス52，53をＬＥＤ49とセットにすることで、これらを別個に備える場合と比較して、照明器具11が複雑化および大型化せず、照明器具11内のユニットや部品点数を削減でき、簡素化および小型化できる。
【００９０】
また、スイッチ50、モニタランプ51および通信デバイス52，53をＬＥＤ49の周囲に配置することで、デッドスペースを有効に利用して、これらスイッチ50、モニタランプ51および通信デバイス52，53を機能的かつ省スペースに配置できる。
【００９１】
なお、上記一実施形態において、点灯回路124は、少なくとも非常時点灯回路を有していれば、常時点灯回路は必須の構成ではない。すなわち、照明器具11は非常時にのみ点灯するようにしてもよい。
【００９２】
また、発光素子としては、ＬＥＤ49以外でも、例えばレーザダイオードなどの発光素子、あるいは、有機ＥＬ素子(ＯＬＥＤ)などを用いることもできる。
【００９３】
さらに、照明器具11としては、埋込孔12に埋め込まれる埋込形以外でも、例えば天井面に直接取り付ける、いわゆる直付形にも適用できる。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
11    照明装置としての照明器具
12    取付部である埋込孔
15    器具本体
16    光源モジュール
17    バッテリパック
23    取付けばね
23a   ばね本体
23b   引掛部
32    逃げ部
49    発光素子であるＬＥＤ
91    係止部としての閂部
124   点灯回路
【図１】
2015222636.tif 000003
【図２】
2015222636.tif 000004
【図３】
2015222636.tif 000005
【図４】
2015222636.tif 000006
【図５】
2015222636.tif 000007
【図６】
2015222636.tif 000008
【図７】
2015222636.tif 000009
【図８】
2015222636.tif 000010
【図９】
2015222636.tif 000011
【図１０】
2015222636.tif 000012
【図１１】
2015222636.tif 000013
【図１２】
2015222636.tif 000014
【図１３】
2015222636.tif 000015
【図１４】
2015222636.tif 000016
【図１５】
2015222636.tif 000017
【図１６】
2015222636.tif 000018
【図１７】
2015222636.tif 000019
【図１８】
2015222636.tif 000020